(57)【要約】【課題】  回転できるカメラレンズ部を持つ情報機器において、カメラレンズを向けた後方からファインダー部を見るや画像表示部の液晶モニターを確認しなくでも簡単に合焦が確認できる手段を提供する。【解決手段】  回転レンズ構造をもつ情報端末において、回転レンズ部の後方に回転軸があり、レンズ部回転軸を情報端末本体の上下中心軸よりずらして設置する、後方近くに合焦時に点灯する合焦指示ＬＥＤをも設置した撮像装置。【選択図】  図１
2006173979.tif 000002
【特許請求の範囲】
【請求項１】
カメラレンズ部が回転できる撮像装置において、
前記カメラレンズ部が被写体に対して合焦状態であることを確認する手段として、
前記カメラレンズ部の後方へ合焦状態であることを示すＬＥＤランプを設置することを特徴とする撮像装置。
【請求項２】
請求項１において、前記カメラレンズ部を回転させて被写体へ向けた状態で、前記撮像装置の側面から見れば、本体部とカメラレンズ部が成す角度がわかり易いこと；カメラレンズ部の撮像方向がわかり易い状態であることを特徴とする撮像装置。
【発明の詳細な説明】
【技術分野】
【０００１】
本発明は、カメラレンズ部が撮像装置本体部に対して回転する構造である撮像装置が被写体に対して焦点が合うことを確認する機能に関するものである。
【背景技術】
【０００２】
これまでのフィルムカメラやデジタルカメラなどの撮像装置では、カメラレンズ部を被写体に向けて焦点を合せる時；被写体に対して焦点が合うことを表すために、ファインダー内部と近辺に合焦表示のランプを設置した。デジタルカメラやカメラレンズ付きのモバイル機器のような撮像装置では、画像表示部のモニター画面上にカメラレンズで映した被写体を表示させ、合焦を示すサインを示す設定が一般であった。
【０００３】
又、別の従来例としては、例えば特許文献１をあげることが出来る。
【特許文献１】特開平０６−１４１２０９号公報
【発明の開示】
【発明が解決しようとする課題】
【０００４】
しかしながら、従来の撮像装置に見られる合焦確認システムでは、撮像装置内或いは近傍に設置された合焦指示ランプは日光の照射で見にくくなり、ファインダーを覗かないと焦点が合うかどうかが分からなかった。
【０００５】
デジタルカメラやカメラレンズ付きモバイル機器では、撮影動作中において、前記カメラレンズ部を被写体に向ける時点から焦点が合う指示のサインが出るまでの間はずっと画像表示部の液晶モニターを表示状態にしないと分からないものであった。
【０００６】
実際の使用時では、撮像装置のホールド性を保つため、前記画像表示部の液晶モニターのＯＮ／ＯＦＦボタンを頻繁に操作することも不可能であった。そのため、これらのデジタル撮像装置はしばしば機器全体の駆動時間を長持ちさせるために画像表示の液晶モニターを非表示することが推奨されてきた。これでは合焦確認手段が利用できない矛盾を持ってしまう。
【０００７】
本発明は上記従来例に鑑みてなされたもので、前記回転できるカメラレンズ部を持つ情報機器において、カメラレンズを向けた後方からファインダー部を見るや画像表示部の液晶モニターを確認しなくでも簡単に合焦が確認できる手段を提供することを目的とする。
【課題を解決するための手段】
【０００８】
上述した目的を達成するために、回転できるカメラレンズ部を持つ情報機器において、カメラレンズ部が焦点を合せる動作が終了し、合焦となった時に、回転するカメラレンズ部の後方にＬＥＤランプを設置する。このランプが点灯時に撮影者が合焦であると判断できるシステムを提供することを特徴とする。
【０００９】
即ち、上記回転できるカメラレンズ部が被写体に対して焦点が合い、合焦と認められた場合に自動的に上記カメラレンズ部後方に設置したＬＥＤランプが点灯し、合焦であることを知らせることによって、本実施の形態の目的を達成する。
【発明の効果】
【００１０】
以上で説明したように、本発明により、回転できるカメラレンズ部を持つ情報機器において、前記カメラレンズ部に取付けられた合焦指示用ＬＥＤランプを使用することによって、撮像動作中は情報機器の画像表示モニターを常時表示にしなくても焦点が合う画像を撮像することが容易に実現できる。
【発明を実施するための最良の形態】
【００１１】
以下、添付図面に沿って本発明の実施の形態を説明する。
【００１２】
（第一の実施の形態）
図１は、本発明の一実施の形態に係る回転カメラレンズ部付き情報機器の概略構成を示す。本実施の形態では、図中左側にある回転カメラレンズ部の後方へ合焦指示ＬＥＤを設置することによって本発明の目的を達成している。
【００１３】
図１において、１０１は、上記カメラレンズ部の前玉を示す。１０２は、前記カメラレンズ部が情報端末本体に対する回転軸を示す。１０３は、前記カメラレンズが被写体に対して合焦である場合に点灯するＬＥＤランプである。１０４は、本回転カメラレンズ付き情報端末のカメラ部の回転ヒンジ部を示す。１０５は、前記情報端末本体の中心軸を示す。なお、１０５情報端末本体中心軸は１０２カメラレンズ回転軸と平行状であるが、カメラレンズ部の形状を考慮して適度に離されている。
【００１４】
図２は、本発明を実施する場合に回転カメラレンズ部の回転角度を示す。
【００１５】
図２において、２０１は、前記カメラレンズ部が回転した場合に向く方向を示す。第一実施の形態の場合、１０３回転ヒンジ部を中心に、１０１カメラレンズ部は２０２情報機器の表示画面が設置された側へ９０度以上に回転できる。２０３は、図１の様に置かれた情報端末を左側から見た場合のカメラレンズ部の収納状態を示す。２０４は、カメラレンズ部を情報端末の前面へ回転させ、被写体に向けた時の状態を示す。この場合に、カメラレンズ部は１８０度回転できるものとする。
【００１６】
図３は、第一の形態において本発明を実際に使用した場合の説明である。
【００１７】
３０１は、実際の撮像状態を示す。３０２は、使用時におけるカメラレンズ部の後方に位置するＬＥＤランプを示す。３０３は、被写体に向けられたカメラレンズ部の状態を示す。
【００１８】
図３を用いて第一の実施形態を説明すると、使用者が１０１カメラレンズ部を被写体に向けた時に、カメラレンズ部と情報端末本体を側面から見た状態は２０１のように大きな三角を作り、カメラレンズ部の指向性によって、情報機器のモニター画面を消しても簡単に被写体を捉えることができる。更に、被写体に対して焦点が合う状態になれば、３０２カメラレンズ後部にあるＬＥＤが発光して合焦であると指示する。
【００１９】
以上に説明したように、本実施の形態で、カメラレンズ部付きの情報機器はカメラレンズ部を利用して撮像を行う時は、回転カメラレンズ部が被写体に対して指向性が高く；情報機器本体の画像表示モニターをＯＦＦにした状態にすることによって、撮像動作中被写体を外すことなく、且つ情報機器の消費電力が一番小さく、作動時間も一番長くなる。また、合焦指示用ＬＥＤランプが付かない時はキャプチャー動作を行えないように設定することによって合焦していない画像を撮像することも解消できる効果を持つ。
【図面の簡単な説明】
【００２０】
【図１】回転できるカメラレンズ部付き情報機器本体略図
【図２】カメラレンズ部の回転角度例
【図３】回転カメラレンズ付き情報機器の使用例
【符号の説明】
【００２１】
１０１  カメラレンズ前玉
１０２  カメラレンズ回転軸
１０３  合焦指示用ＬＥＤランプ
１０４  回転ヒンジ部
１０５  カメラ本体中心軸
２０１  回転鏡筒が持つ指向性
２０２  情報機器の表示画面へ９０度以上回転
２０３  カメラレンズ部収納状態
２０４  情報機器前面で１８０度回転
３０１  携帯情報端末の撮像状態略図
３０２  カメラレンズ部後方の合焦指示用ＬＥＤ点灯
３０３  カメラレンズ部の向き
【図１】
2006173979.tif 000003
【図２】
2006173979.tif 000004
【図３】
2006173979.tif 000005